(57)【特許請求の範囲】
【請求項１】
避雷器弾器と、自動復帰可能なサージ吸収回路が配設されたサージ吸収装置とを有する保安装置であって、サージ吸収装置の上部凹部に、避雷器弾器を構成する弾器取付盤の上端部に嵌合された地気板が嵌合されるように構成されており、この嵌合過程において、サージ吸収装置の一対の外側脚部が、それぞれ、避雷器弾器の上ばねと親ばねとの間に、上ばねを、その弾勢力に抗して、外側に弾性変形させながら、且つ、外側脚部に配設された機器側端子が、上ばねに接触するように挿入されるとともに、サージ吸収装置の上部凹部に、避雷器弾器を構成する弾器取付盤の上端部に嵌合された地気板が嵌合させるように構成され、同様に、サージ吸収装置の一対の内側脚部が、それぞれ、避雷器弾器の親ばねと地気板が嵌合された弾器取付盤との間に、親ばねを、その弾勢力に抗して、外側に弾性変形させながら、且つ、内側脚部に配設された外線側端子が、親ばねに接触するように挿入されるとともに、サージ吸収装置のアレスタアース端子が、避雷器弾器の弾器取付盤の上端部に嵌合された地気板に接触するように構成されており、また、親ばねと地気板が嵌合された弾器取付盤との間に、内側脚部が挿入されることにより、親ばねが、その弾勢力に抗して、外側に弾性変形され、親ばねに固着されている舌ばねが、避雷器弾器を構成する弾器取付盤から離反する方向に移動し、舌ばねの上端部が、地気板から、所定の距離、離反するように構成することにより、サージ吸収装置を、避雷器弾器に対して、上下動させ、サージ吸収装置を、避雷器弾器に装着したり、サージ吸収装置を、避雷器弾器から引き抜くことができるように構成されていることを特徴とする保安装置。
【発明の詳細な説明】
【技術分野】
【０００１】
本発明は、雷サージ等の高電圧電流から通信機器等を保護するための保安装置に関するものである。
【背景技術】
【０００２】
通信機器等には、ＩＣ素子が多数使用されており、雷サージ等の高電圧電流に対して、弱耐で、そのため、雷害対策の重要度が増している。保安装置は、通信線路等を介して通信機器等に侵入した雷サージ等の高電圧電流を、通信機器等に設置されたサージ吸収装置により吸収することにより、通信機器等を雷サージ等の高電圧電流から保護するものである。
【０００３】
従来、多数並設された避雷器弾器の回線毎に、高電圧で放電動作するアレスタと過電流で動作するヒートコイルとからなるサージ吸収素子を、それぞれ取り付けて、通信線路等を介して通信機器等に侵入する雷サージ等の高電圧電流を、アレスタとヒートコイルからなるサージ吸収素子により吸収し、雷サージ等の高電圧電流から、通信機器等を保護するよう構成された保安装置が知られている。
【０００４】
図８及び図９を用いて、上述した保安装置を構成する公知の避雷器弾器ＡＤについて概説する。
【０００５】
避雷器弾器ＡＤは、所定の厚さを有する横長の板状の１つの弾器取付盤（接地盤）１と、該接地盤１を挟んで配置された一対の上ばね（内線端子）２と、同じく、接地盤１を挟んで位置するとともに、上ばね２と弾器取付盤１との間に配置された一対の親ばね（外線端子）３と、親ばね３の相対する面に固着された舌ばね４と、弾器取付盤１の上端部に嵌合された略逆Ｕ字状で、且つ、弾器取付盤１と略同じ長さを有する地気板５とを有している。また、避雷器弾器ＡＤは、接地を兼ねた弾器取付盤１と上ばね２と舌ばね４が固着された親ばね３とを、それぞれ絶縁状態に取り付ける絶縁台６を有している。そして、避雷器弾器ＡＤは、一例として、４０個の上ばね２と４０個の親ばね３と４０個の舌ばね４とを、絶縁台６に、一個、一個、絶縁状態に取り付けることにより構成され、２０回線で１個の避雷器弾器ＡＤが構成されている。なお、７は、絶縁台６に取り付けられた内線端子板である。
【０００６】
上述した上ばね２と内線端子板７とにより、内線端子Ｔが形成され、また、弾器取付盤１を挟んで配置された一対の親ばね３により、外線端子Ｌが形成されている。
【０００７】
図９に示されているように、上述した避雷器弾器ＡＤに、アレスタＡｒ（一例として、３極形アレスタを用いた例が示されている。）とヒートコイルＨｃとを装着することにより、保安装置が構成されている。なお、図９には、避雷器弾器ＡＤに、３極形アレスタＡｒを装着した例が示されているが、３極アレスタＡｒに代えて、２極形アレスタＡｒを装着してもよい。
【０００８】
アレスタＡｒは、アレスタＡｒの下部に形成された切欠き凹部ａ１に、避雷器弾器ＡＤを構成する弾器取付盤１の上部を嵌合することにより、避雷器弾器ＡＤに取り付けられることになるが、この際、アレスタＡｒに形成された切欠き凹部ａ１から導出されたアレスタアース端子ａ２を、避雷器弾器ＡＤの弾器取付盤１に嵌合された地気板５に接触させるとともに、アレスタＡｒの下部に切欠き凹部ａ１を形成することにより形成された一対の脚部ａ３を、避雷器弾器ＡＤの弾器取付盤１に嵌合された地気板５と親ばね３との間に、親ばね３の弾勢力に抗して、親ばね３を、弾器取付盤１から離反する方向に弾性変形させることにより挟持する。なお、アレスタＡｒの脚部ａ３が、避雷器弾器ＡＤの弾器取付盤１に嵌合された地気板５と親ばね３との間に挟持された際には、親ばね３の上端部が、アレスタＡｒのアレスタライン端子ａ４に接触するように構成されている。
【０００９】
上述したように、アレスタＡｒの脚部ａ３が、避雷器弾器ＡＤの弾器取付盤１に嵌合された地気板５と親ばね３との間に挟持された際には、親ばね３は、弾器取付盤１から離反する方向に弾性変形することになるので、親ばね３に固着されている舌ばね４も、弾器取付盤１から離反する方向に移動し、地気板５に当接していた舌ばね４の上端部４ａ（図８に示されている。）が、図９に示されているように、弾器取付盤１に嵌合された地気板５から、所定に距離、離反することになる。
【００１０】
また、上ばね２の上端部に形成された二股部２ａの間隙に、ヒートコイルＨｃの後部突部ｈ１を挿入するとともに、ヒートコイルＨｃの先端から突出している作動ピンｈ２を、親ばね３の上部に穿設された透孔３ａに挿入することにより、ヒートコイルＨｃが、上ばね２と親ばね３とにより弾性的に挟持されることになる。ヒートコイルＨｃが、上ばね２と親ばね３とにより弾性的に挟持された際には、ヒートコイルＨｃの作動ピンｈ２は、親ばね３に固着されている舌ばね４に接触するように構成されており、また、親ばね３に固着されている舌ばね４の上端部４ａは、弾器取付盤１に嵌合された地気板５から、所定に距離、離反して位置するように構成されている。
【００１１】
図１０に示されているように、保安装置には、１回線あたり、１個の３極形アレスタＡｒと、２個のヒートコイルＨｃが配設されている。なお、３極形アレスタＡｒに代えて２極形アレスタＡｒを使用した場合には、図示してないが、１回線あたり、２個の２極形アレスタＡｒと２個のヒートコイルＨｃとを配設する必要がある。一例として、３極形アレスタＡｒが使用されている保安装置には、２０個の３極形アレスタＡｒと４０個のヒートコイルＨｃとが使用され、２極形アレスタＡｒの場合には、４０個の２極アレスタＡｒと４０個のヒートコイルＨｃとが使用されることになる。
【００１２】
図１０には、３極形アレスタＡｒが使用された場合の保安装置の回路構成が示されている。
【００１３】
通常状態においては、ヒートコイルＨｃの作動ピンｈ２は、親ばね３に固着されている舌ばね４に接触しており、また、親ばね３に固着されている舌ばね４の上端部４ａは、弾器取付盤１に嵌合された地気板５から離反しているので、内線端子Ｔと外線端子Ｌとは導通している。また、通常状態においては、端子間（外線端子Ｌと弾器取付盤１間）は、放電していないために開放状態にあり、内線端子Ｔと外線端子Ｌ間を通過する信号に、何ら、影響を与えることはない。
【００１４】
雷サージ等により、高電圧電流が流れた際には、ヒートコイルＨｃの作動ピンｈ２が突出し、作動ピンｈ２が、親ばね３に固着されている舌ばね４を、弾器取付盤１方向に移動させて、舌ばね４の上端部４ａを、弾器取付盤１の上端部に嵌合されている地気板５に接触させることになる。従って、高電圧電流は、図１１に示されているように、弾器取付盤１を介して、大地に流れることになり、内線端子Ｔと外線端子Ｌ間に配設された通信機器等を保護するように構成されている。
【００１５】
上述したような構成を有する保安装置は、一例として、特許文献１に開示されている。
【００１６】
【特許文献１】実開昭６３−９３７３３号公報
【発明の開示】
【発明が解決しようとする課題】
【００１７】
上述した保安装置に使用されているヒートコイルが、雷サージ等の高電圧電流により作動した際には、ヒートコイル自体、自動的に再生復帰することができないので、その都度、ヒートコイルを交換する必要があり、従って、ヒートコイルの交換作業に多大の労力と時間を費やしていた。
【００１８】
また、通信回線等は、多数回線から構成されていることが多く、例えば、１００回線以上や２００回線以上や、更には、１０００回線以上という場合もあり、従って、定められた期間毎に実施する定期点検作業において、ヒートコイルを、避雷器弾器の上ばねと親ばねとから、１個１個、取り外し、性能を点検し、性能の検査に合格終了後に、再度、ヒートコイルを、避雷器弾器のばね性を有する上ばねと親ばねとに、１個１個、取り付ける必要があり、従って、ヒートコイルの点検作業に、長時間と相当の労力を要し、点検コストが増大するいう問題があった。
【００１９】
更に、雷サージ等の高電圧電流が通信機器等に侵入した場合には、アレスタやヒートコイルが動作して、通信機器等が保護されることになるが、アレスタ及びヒートコイルを安全に使用するため、雷サージ等の侵入回線等を選出し、性能等の点検作業を行うことが必要であり、回線の錯綜した状態で、多回線から、１つの回線を探すことは、手間と時間が掛かるという問題があった。
【００２０】
本発明の目的は、上述した従来の保安装置が有する課題を解決することにある。
【課題を解決するための手段】
【００２１】
本発明は、上述した目的を達成するために、避雷器弾器と、自動復帰可能なサージ吸収回路が配設されたサージ吸収装置とを有する保安装置であって、サージ吸収装置の上部凹部に、避雷器弾器を構成する弾器取付盤の上端部に嵌合された地気板が嵌合されるように構成されており、この嵌合過程において、サージ吸収装置の一対の外側脚部が、それぞれ、避雷器弾器の上ばねと親ばねとの間に、上ばねを、その弾勢力に抗して、外側に弾性変形させながら、且つ、外側脚部に配設された機器側端子が、上ばねに接触するように挿入されるとともに、サージ吸収装置の上部凹部に、避雷器弾器を構成する弾器取付盤の上端部に嵌合された地気板が嵌合させるように構成され、同様に、サージ吸収装置の一対の内側脚部が、それぞれ、避雷器弾器の親ばねと地気板が嵌合された弾器取付盤との間に、親ばねを、その弾勢力に抗して、外側に弾性変形させながら、且つ、内側脚部に配設された外線側端子が、親ばねに接触するように挿入されるとともに、サージ吸収装置のアレスタアース端子が、避雷器弾器の弾器取付盤の上端部に嵌合された地気板に接触するように構成されており、また、親ばねと地気板が嵌合された弾器取付盤との間に、内側脚部が挿入されることにより、親ばねが、その弾勢力に抗して、外側に弾性変形され、親ばねに固着されている舌ばねが、避雷器弾器を構成する弾器取付盤から離反する方向に移動し、舌ばねの上端部が、地気板から、所定の距離、離反するように構成することにより、サージ吸収装置を、避雷器弾器に対して、上下動させ、サージ吸収装置を、避雷器弾器に装着したり、サージ吸収装置を、避雷器弾器から引き抜くことができるように構成したものである。
【発明の効果】
【００２２】
本発明は、上述した構成を有しているので、以下に記載する効果を奏する
ことができる。
【００２３】
保安装置を、避雷器弾器と自動復帰可能なサージ吸収回路が配設されたサージ吸収装置とにより構成するとともに、サージ吸収装置を、避雷器弾器に対して、上下動することにより、サージ吸収装置を、避雷器弾器に装着したり、サージ吸収装置を、避雷器弾器から引き抜くことができるように構成したので、サージ吸収装置の避雷器弾器への装着及び取外しを、容易に、且つ、迅速に行うことができ、ひいては、保安装置の保守管理作業を、軽減することができるとともに、保安装置の保守管理時間を、短縮することができる。
【実施例】
【００２４】
以下に、本発明の保安装置について説明するが、本発明の趣旨を越えない限り、何ら、本実施例に限定されるものではない。なお、本発明において使用される避雷器弾器ＡＤは、上述した避雷器弾器ＡＤと同じであるので、その詳細な説明は省略する。
【００２５】
Ｓは、サージ吸収装置であり、サージ吸収装置Ｓは、絶縁材で形成されたケース８を有しており、ケース８は、縦に半割り状態に形成された一対の箱型状の半ケースを接合することにより形成されている。
【００２６】
ケース８の下部に、下部凹部８ａを形成することにより、一対の外側脚部８ｂが形成されており、更に、下部凹部８ａの天部中央部に、上方に延在する上部凹部８ｃを形成することにより、一対の内側脚部８ｄが形成されており、上部凹部８ｃには、避雷器弾器ＡＤを構成する弾器取付盤１の上端部に嵌合された地気板５が嵌合可能なように構成されている。外側脚部８ｂの下端部の外面に、下方に行くに従って、下部凹部８ａ方向に向かう傾斜面８ｂ１を形成することにより、外側脚部８ｂは、先細り状に形成されている。同様に、内側脚部８ｄの下端部の外面に、下方に行くに従って、上部凹部８ｃ方向に向かう傾斜面８ｄ１を形成することにより、内側脚部８ｄも、先細り状に形成されている。
【００２７】
９は、外側脚部８ｂの外面下端部から、ケース８の側壁８ｅの内面に沿って配設された機器側端子であり、また、１０は、内側脚部８ｄの外面下端部に沿って配設された外線側端子であり、更に、１１は、上部凹部８ｃ内に配設された略逆Ｕ字状の弾性を有するアレスタアース端子であり、アレスタアース端子１１の下部の一部１１ａが、上部凹部８ｃ内に突設するように構成されている。１２は、サージ吸収素子を有するサージ吸収回路である。
【００２８】
サージ吸収回路１２は、図３に示されているように、ケース８内に配設された回路基板１３に配置された一対の正温度特性サーミスタ１４と１個の３極形アレスタ１５とからなり、この３極形アレスタ１５のアース電極は、アレスタアース端子１１を介して接地Ｅに接続され、また、３極形アレスタ１５のライン電極は、避雷器弾器ＡＤの親ばね３を介して通信線路に接続されている。そして、正温度特性サーミスタ１４は、機器側端子９と外線側端子１０から線路の機器側の線路に接続されている。
【００２９】
上述したようにして、サージ吸収装置Ｓが構成されており、避雷器弾器ＡＤとサージ吸収装置Ｓとにより、保安装置が構成されている。
【００３０】
サージ吸収回路１２は、避雷器弾器ＡＤに接続される通信機器の特性に適したものを用いればよく、上述したサージ吸収回路１２に限定されるものではなく、線路に接続される通信機器等に対応して、適宜、適用することができる。
【００３１】
上述したように、サージ吸収回路１２は、１個の３極形ガスアレスタ１５と２個の正温度特性サーミスタ１４とからなり、３極形アレスタ１５により、通信線路に生じる線間電圧の発生を低電圧に抑えることができ、また、正温度特性サーミスタ１４は、過大電流による温度上昇で高抵抗になり、短時間で、過電流を小電流に制限して、線路を小電流に抑え、通信機器等を雷サージ等の過電圧電流から保護するとともに、雷サージが消滅すると、雷サージの前の回路に復旧して、正常状態に戻す機能を有するものである。
【００３２】
正温度特性サーミスタ１４は、自動復帰特性を有するもので、過電流が消滅すると、正温度特性サーミスタ１４の抵抗値は、正常の低い抵抗値に復帰し、通信線路は、正常の通信線路となり、再度、通常の通信回路を確保することができる。
【００３３】
また、正温度特性サーミスタ１４は、無誘導型であるので、使用する周波数帯域が大きく、更には、伝送損失を低くすることができ、高品質の通信回路の運用が図られるという利点を有する。
【００３４】
次に、本発明のサージ吸収装置Ｓの避雷器弾器ＡＤへの取り付けについて説明する。
【００３５】
先ず最初に、図４に示されているように、避雷器弾器ＡＤの上方に、サージ吸収装置Ｓを配置し、その後、サージ吸収装置Ｓを下降させて、サージ吸収装置Ｓの一対の外側脚部８ｂを、それぞれ、避雷器弾器ＡＤの上ばね２と親ばね３との間に、上ばね２を、その弾勢力に抗して、外側に弾性変形させながら、且つ、外側脚部８ｂに配設された機器側端子９が、上ばね２に接触するように挿入するとともに、サージ吸収装置Ｓの上部凹部８ｃに、避雷器弾器ＡＤを構成する弾器取付盤１の上端部に嵌合された地気板５を嵌合させる。
【００３６】
上述したように、サージ吸収装置Ｓの上部凹部８ｃに、避雷器弾器ＡＤを構成する弾器取付盤１の上端部に嵌合された地気板５を嵌合させる過程においては、サージ吸収装置Ｓの一対の内側脚部８ｄが、それぞれ、避雷器弾器ＡＤの親ばね３と地気板５が嵌合された弾器取付盤１との間に、親ばね３を、その弾勢力に抗して、外側に弾性変形させながら、且つ、内側脚部８ｄに配設された外線側端子１０が、親ばね３に接触するように挿入されるとともに、サージ吸収装置Ｓの一対の内側脚部８ｄが、サージ吸収装置Ｓの上部凹部８ｃ内に配設されたアレスタアース端子１１の下部の一部１１ａが、避雷器弾器ＡＤを構成する弾器取付盤１の上端部に嵌合された地気板５に接触するように挿入されることになる。また、親ばね３と地気板５が嵌合された弾器取付盤１との間に、内側脚部８ｄが挿入されることにより、親ばね３が、その弾勢力に抗して、外側に弾性変形されることになり、従って、親ばね３に固着されている舌ばね４は、避雷器弾器ＡＤを構成する弾器取付盤１から離反する方向に移動し、舌ばね４の上端部４ａは、地気板５から、所定に距離、離反することになる。
【００３７】
上述したようにして、サージ吸収装置Ｓが、避雷器弾器ＡＤに取り付けられることになる。
【００３８】
また、サージ吸収装置Ｓを、避雷器弾器ＡＤに対して、上方に持ち上げることにより、サージ吸収装置Ｓを、避雷器弾器ＡＤから引き抜くことができるように構成されている。このように、避雷器弾器ＡＤに、サージ吸収装置Ｓが着脱自在に装着されている。
【００３９】
上述したように、外側脚部８ｂの下端部の外面には、下方に行くに従って、下部凹部８ａ方向に向かう傾斜面８ｂ１が形成されているので、容易に、且つ、迅速に、サージ吸収装置Ｓの外側脚部８ｂを、避雷器弾器ＡＤの上ばね２と親ばね３との間に挿入することができるとともに、内側脚部８ｄの下端部の外面にも、下方に行くに従って、上部凹部８ｃ方向に向かう傾斜面８ｄ１が形成されているので、容易に、且つ、迅速に、サージ吸収装置Ｓの内側脚部８ｄを、避雷器弾器ＡＤの親ばね３と地気板５が嵌合された弾器取付盤１との間に挿入することができ、ひいては、サージ吸収装置Ｓを、容易に、且つ、迅速に、避雷器弾器ＡＤに装着することができる。
【００４０】
また、サージ吸収装置Ｓは、雷サージが消滅すると、正常状態に自動復帰するサージ吸収回路１２を有するので、従来の保安装置のように、ヒートコイルＨｃを交換する必要がなく、従って、保安装置の保守管理作業を軽減することができる。
【００４１】
保安装置が、避雷器弾器ＡＤと自動復帰可能なサージ吸収回路１２が配設されたサージ吸収装置Ｓとにより構成されているとともに、サージ吸収装置Ｓを、避雷器弾器ＡＤに対して、上下動することにより、サージ吸収装置Ｓを、避雷器弾器ＡＤに装着したり、サージ吸収装置Ｓを、避雷器弾器ＡＤから引き抜くことができるように構成されているので、サージ吸収装置Ｓの避雷器弾器ＡＤへの装着及び取外しを、容易に、且つ、迅速に行うことができ、ひいては、保安装置の保守管理作業を、軽減することができるとともに、保安装置の保守管理時間を、短縮することができる。
【００４２】
上述した実施例には、サージ吸収回路１２が、図３に示されているように、１個の３極形アレスタ１５と２個の正温度特性サーミスタ１４により構成された例が示されているが、図６に示されているように、サージ吸収回路１２を、一個の３極形アレスタ１５と２個の正温度特性サーミスタ１４に加えて、３個のダイオード１６を、線路及び線路・アース間に接続することにより、サージ吸収回路１２を構成することもでき、更に、図７に示されているように、４個のダイオード１７からなるブリッジ回路１８に、３極形アレスタ１５を接続するとともに、線路間に、２個のダイオード１９を並列し、また、ブリッジ回路１８とダイオード１９間に位置する線路に、抵抗２０を配置して、サージ吸収回路１２を構成することもできる。
【図面の簡単な説明】
【００４３】
【図１】図１は、本発明の保安装置を構成するサージ吸収装置の正面図である。
【図２】図２は、本発明の保安装置を構成するサージ吸収装置の垂直断面図である。
【図３】図３は、本発明の保安装置を構成するサージ吸収装置のサージ吸収回路図である。
【図４】図４は、本発明の保安装置を構成する避雷器弾器と該避雷器弾器に装着される前のサージ吸収装置の配置図である。
【図５】図５は、本発明の保安装置を構成する避雷器弾器に、サージ吸収装置が装着された状態の垂直断面を含む正面図である。
【図６】図６は、本発明の保安装置を構成するサージ吸収装置の他のサージ吸収回路図である。
【図７】図７は、本発明の保安装置を構成するサージ吸収装置の更に他のサージ吸収回路図である。
【図８】図８は、本発明の保安装置及び従来の保安装置に使用される避雷器弾器の正面図である。
【図９】図９は、従来の保安装置の斜視図である。
【図１０】図１０は、従来の保安装置を構成するアレスタとヒートコイルの回路図である。
【図１１】図１１は、図１０に示されている回路に、雷サージ等の高電圧電流が流れた際の回路図である。
【符号の説明】
【００４４】
ＡＤ・・・・・避雷器弾器
Ｈｃ・・・・・ヒートコイル
Ｓ・・・・・・サージ吸収装置
１・・・・・・弾器取付盤
２・・・・・・上ばね
３・・・・・・親ばね
４・・・・・・舌ばね
５・・・・・・地気板
６・・・・・・絶縁台
７・・・・・・線端子板
８・・・・・・ケース
９・・・・・・機器側端子
１０・・・・・外線側端子
１１・・・・・アレスタアース端子
１２・・・・・サージ吸収回路
１３・・・・・回路基板
１４・・・・・正特性サーミスタ
１５・・・・・３極形アレスタ
【図１】
0005205039.tif 000002
【図２】
0005205039.tif 000003
【図３】
0005205039.tif 000004
【図４】
0005205039.tif 000005
【図５】
0005205039.tif 000006
【図６】
0005205039.tif 000007
【図７】
0005205039.tif 000008
【図８】
0005205039.tif 000009
【図９】
0005205039.tif 000010
【図１０】
0005205039.tif 000011
【図１１】
0005205039.tif 000012